(57)【要約】      （修正有）【課題】マスクを外した状態での食品の摂食時において咳やくしゃみが出たときに飛沫の拡散を抑制することができる弁当箱を提供する。【解決手段】弁当箱は、食品を収容する有底の箱部１と、基端３１が後方上縁２４に取り付けられ、開口部１０を覆う閉鎖位置と箱部の後方上縁から上方に延びる開放位置Ｐ２との間で揺動可能である蓋部３と、蓋部の基端が蓋部の一対の側縁３３にそれぞれ取り付けられ、蓋部の裏面に沿って延びる収納位置と蓋部から起こした展開位置Ｐ４との間でそれぞれ揺動可能である一対の仕切部５であって、蓋部を開放位置に位置させ且つ仕切部を展開位置に位置させた使用形態において、箱部の側方上縁２５に沿って延びる下縁５３をそれぞれ有する一対の仕切部と、使用形態において、各仕切部を箱部に留める留め構造（爪部と挿入孔）と、を有する。【選択図】図１
0003229021.tif 000002
【実用新案登録請求の範囲】
【請求項１】
前方上縁、後方上縁、及び左右一対の側方上縁を含む周縁によって区画される開口部を有し、食品を収容する有底の箱部と、
基端が前記後方上縁に取り付けられ、前記基端から先端に向かって延びる一対の側縁を有し、前記開口部を覆う閉鎖位置と前記箱部の前記後方上縁から上方に延びる開放位置との間で揺動可能である蓋部と、
基端が前記蓋部の一対の前記側縁にそれぞれ取り付けられ、前記蓋部の裏面に沿って延びる収納位置と前記蓋部から起こした展開位置との間でそれぞれ揺動可能である一対の仕切部であって、前記蓋部を前記開放位置に位置させ且つ前記仕切部を前記展開位置に位置させた使用形態において、前記側方上縁に沿って延びる下縁をそれぞれ有する一対の仕切部と、
前記使用形態において、各前記仕切部を前記箱部に留める留め構造を有する、弁当箱。
【請求項２】
前記留め構造は、各前記仕切部の下縁を前記箱部の側方上縁に留める構造である、請求項１に記載の弁当箱。
【請求項３】
前記仕切部は、前記下縁から下方に突出する爪部を有し、
前記箱部は、前記側方上縁に形成され、前記爪部を挿入可能である挿入孔を有し、
前記爪部及び前記挿入孔が前記留め構造を成す、請求項１又は２に記載の弁当箱。
【請求項４】
前記仕切部の前記下縁の先端は、前記使用形態において、前記側方上縁の中央よりも前後方向における前記前方上縁側に位置する、請求項１乃至３の何れか１項に記載の弁当箱。
【請求項５】
前記仕切部の前記下縁の先端は、前記使用形態において、前記前方上縁上に位置する、請求項１乃至３の何れか１項に記載の弁当箱。
【請求項６】
前記仕切部は、下部に使用者の親指を挿通可能な孔、切り欠き又は切り目である挿通部を有する、請求項１乃至５の何れか１項に記載の弁当箱。
【請求項７】
前記箱部、前記蓋部及び前記仕切部は、紙製である、請求項１乃至６の何れか１項に記載の弁当箱。
【考案の詳細な説明】
【技術分野】
【０００１】
本考案は、弁当箱に関する。
【背景技術】
【０００２】
従来から食品包装容器が知られている（例えば特許文献１参照）。
【０００３】
この食品包装容器は、食品を収容する箱体と、この箱体の開放部を閉じる蓋体とを備えている。
【先行技術文献】
【特許文献】
【０００４】
【特許文献１】登録実用新案第３０２３６０２号公報
【考案の概要】
【考案が解決しようとする課題】
【０００５】
ところで、飛沫感染の防止が課題となる感染症の流行時において、飛沫感染の予防策としてはマスクの着用が有効とされるものの、食品の摂食時においてはマスクを外さざるを得ず、このときに咳やくしゃみがでて飛沫が拡散し、飛沫感染の可能性が高まるおそれがあった。また、運動会の会場等、砂等の粉塵が漂っている環境下において、容器に収容された食品に粉塵が付着して食感が悪化する場合があった。
【課題を解決するための手段】
【０００６】
上記課題を解決するため、本考案のある態様に係る弁当箱は、前方上縁、後方上縁、及び左右一対の側方上縁を含む周縁によって区画される開口部を有し、食品を収容する有底の箱部と、基端が前記後方上縁に取り付けられ、前記基端から先端に向かって延びる一対の側縁を有し、前記開口部を覆う閉鎖位置と前記箱部の前記後方上縁から上方に延びる開放位置との間で揺動可能である蓋部と、基端が前記蓋部の一対の前記側縁にそれぞれ取り付けられ、前記蓋部の裏面に沿って延びる収納位置と前記蓋部から起こした展開位置との間でそれぞれ揺動可能である一対の仕切部であって、前記蓋部を前記開放位置に位置させ且つ前記仕切部を前記展開位置に位置させた使用形態において、前記側方上縁に沿って延びる下縁をそれぞれ有する一対の仕切部と、前記使用形態において、各前記仕切部を前記箱部に留める留め構造を有する。
【０００７】
この構成によれば、マスクを外した状態となる食品の摂食時において咳やくしゃみが出たときにこれらの飛沫の拡散を抑制することができる。よって、感染症の原因となるウイルス等の拡散を抑制することができる。また、環境に漂う粉塵の食品への付着を低減することができる。更に、持ち運び時は、仕切部を収納して弁当箱をコンパクトにすることができる。
【考案の効果】
【０００８】
本考案は、マスクを外した状態となる食品の摂食時において咳やくしゃみが出たときにこれらの飛沫の拡散を抑制することができ、また、環境に漂う粉塵の食品への付着を低減することができるという効果を奏する。
【図面の簡単な説明】
【０００９】
【図１】本考案の実施の形態に係る弁当箱の構成例を示す斜視図である。
【図２】図１の弁当箱の構成例を示す展開図である。
【図３】図１の弁当箱の使用例を示す斜視図である。
【考案を実施するための形態】
【００１０】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１１】
図１は、本考案の実施の形態に係る弁当箱１００の構成例を示す斜視図である。図２は、弁当箱１００の展開図である。図３は、弁当箱１００の使用例を示す斜視図である。
【００１２】
弁当箱１００は、弁当を収容することができる弁当容器である。
【００１３】
図１に示すように、弁当箱１００は、箱部１と、蓋部３と、左右一対の仕切部５と、留め構造６（図３参照）とを備える。これら箱部１、蓋部３、仕切部５及び留め構造６は、紙製であり、店舗において販売される弁当の容器として好適である。ただし、紙製に限られるものではなく、手作り弁当に用いられるような樹脂製としてもよい。図２において、破線は折れ線であり、この部分には、例えば、浅い溝が刻まれ、容易に破線に沿って折ることができるようになっている。
【００１４】
以下では、弁当箱１００に収容された弁当を摂食する者から見て、手前側、奥側、左側、右側をそれぞれ、前、後、左、右ということがある。
【００１５】
箱部１は、食品を収容する有底の浅い箱状に形成され、横長長方形の底壁１２と、底壁１２の周縁から垂直に立ち上がる周壁１１と、を含む。周壁１１は、左右方向に延在する前壁１３と、前壁１３と平行に延びる後壁１４と、及び前壁１３及び後壁１４の両端部をそれぞれ接続して前後方向に延在する一対の側壁１５とを含む。前壁１３の上縁である前方上縁２３、後壁１４の上縁である後方上縁２４、及び左右一対の側壁１５の上縁である左右一対の側方上縁２５が周縁２１を成し、この周縁２１によって区画される領域が箱部１の開口部１０を成す。弁当箱１００の内部への食品の収容及び取り出しは、開口部１０を介して行われる。
【００１６】
図２に示すように、弁当箱１００は、展開状態においては、周壁１１を構成する前壁１３、後壁１４、及び一対の側壁１５の４つの壁が底壁１２の４辺から放射状に外方に延び、組み立て状態においては、前壁１３、後壁１４、及び一対の側壁１５を底壁１２の周縁から上方に延びるように底壁１２との境界において折り曲げられている。そして、前壁１３の左右の側縁及び後壁１４の左右の側縁には、それぞれ連結片１８が設けられている。連結片１８は、組み立て状態においては、側壁１５の内側に位置するように折り曲げられ、側壁１５の内面に貼着等の手段により固定される。これによって、連結片１８は、組み立て状態を維持する機能を果たす。
【００１７】
そして、各側方上縁２５にサイドフラップ１６が取り付けられている。サイドフラップ１６は、組み立て状態においては箱部１の内側に折り曲げられ、箱部１に収容した食品の開口部１０からの飛び出しを防ぐとともに、側壁１５の剛性を向上させている。
【００１８】
また、展開状態において、側方上縁２５の前側の部分には、略コの字状の切れ目が設けられている。この部分は、内側に折り曲げることによって、孔が形成され、この孔が組み立て状態における、後述する爪部５６を挿入可能である挿入孔１７となる。
【００１９】
更に、展開状態において、前壁１３には折込片１９が取り付けられている。折込片１９は、組み立て状態においては、内側に折り込まれ、これによって、前壁１３の剛性を向上させている。
【００２０】
そして、浅い溝である折り線２０が、側壁１５及びサイドフラップ１６の底部側の両隅角から内側斜め上方向に刻まれている。これによって、箱を組み立てた状態において、折り線２０に沿って側壁１５及びサイドフラップ１６を折ることによって、弁当箱１００の高さを小さくすることができ、コンパクトにすることができる。
【００２１】
蓋部３は、開口部１０及び底壁１２と略同一形状に形成されている蓋本体部３５と、蓋本体部３５の先端に取り付けられている先端フラップ３４とを含む。蓋本体部３５は、弁当を収容した弁当箱１００の携帯時に、開口部１０を閉鎖するためのものである。蓋本体部３５の基端３１は、後方上縁２４に取り付けられ、この部分において折れ曲がる。そして、蓋部３は、図３に示すように、開口部１０を覆う閉鎖位置Ｐ１と、箱部１の後方上縁２４から上方に延びる開放位置Ｐ２との間で揺動可能となっている。開放位置Ｐ２は、例えば、蓋部３が垂直上方向に直立する姿勢を取る角度位置である。蓋部３の基端３１から先端３２に向かって延びる一対の側縁３３は、互いに平行に、基端３１と直交する方向に略直線状に延びている。
【００２２】
左右一対の仕切部５は、蓋部３と共に、図１に示すように、開口部１０の上方の空間を、その周囲の空間から仕切るための壁として作用する。各仕切部５の基端５１は、蓋部３の一対の側縁３３に取り付けられ、この部分において折れ曲がる。そして、仕切部５は、図３に示す蓋部３の裏面に沿って延びる収納位置Ｐ３と、図１に示す、蓋部３から起こした展開位置Ｐ４との間でそれぞれ揺動可能となっている。各仕切部５の下縁５３は、基端５１の下端から先端５２に向かって略直線状に延びている。基端５１と下縁５３とが成す角は９０度未満である。これによって、仕切部５を収納位置Ｐ３に位置させたときに、下縁５３が蓋部３の基端３１よりも上方に位置させることができ、蓋部３を開放位置Ｐ２から閉鎖位置Ｐ１に動かしたときに、下縁５３が後壁１４に干渉することを防止することができる。
【００２３】
そして、各仕切部５の下縁５３は、蓋部３を開放位置Ｐ２に位置させ且つ仕切部５を展開位置Ｐ４に位置させた使用形態、すなわち図１に示す形態において、側方上縁２５に沿って延びる。これによって、仕切部５と箱部１との間の隙間を小さくすることができる。また、下縁５３の先端５３ａは、使用形態において、側方上縁２５の中央よりも前後方向における前方上縁２３側に位置する。これによって、開口部１０の上方の空間を、その周囲の空間から効果的に仕切ることができ、飛沫の拡散及び食品への粉塵の付着を効果的に抑制することができる。更に、下縁５３の先端５３ａは、使用形態において、前方上縁２３上に位置してもよい。これによって、開口部１０の上方の空間を、その周囲の空間からより効果的に仕切ることができ、飛沫の拡散及び食品への粉塵の付着をより効果的に抑制することができる。
【００２４】
そして、各仕切部５の上縁５４は、基端５１から先端５２に向かうに従って下縁５３に近づく円弧状に形成されている。これによって、使用者が箱部１に収容された食品の摂食時に箱部１に顔を近づけたときに、仕切部５が顔に当たることを防止することができる。これによって、開口部１０に口を近づけ易くなり、飛沫の拡散及び食品への粉塵の付着をより効果的に抑制することができる。
【００２５】
そして、図３に示すように、各仕切部５には、爪部５６が設けられている。爪部５６は、挿入孔１７に挿入されて係合するように構成されており、図１に示す使用形態において、挿入孔１７に挿入可能である位置に形成されている。具体的には、爪部５６は、仕切部５の下縁５３の前側の部分から下方に突出するタブ状に形成され、上述の挿入孔１７に挿入可能な大きさに形成されている。これによって、仕切部５を容易に箱部１に留めて、仕切部５を展開位置Ｐ４に固定することができる。
【００２６】
そして、本実施の形態において、爪部５６及び挿入孔１７が留め構造６を成す。留め構造６は、使用形態において、各仕切部５を箱部１に留める構造である。これによって、仕切部５を展開位置Ｐ４に固定し、且つ、仕切部５を介して蓋部３を開放位置Ｐ２に固定する。また、好ましくは、留め構造６は、各仕切部５の下縁５３を箱部１の側方上縁２５に留める構造である。これによって、仕切部５の下縁５３と箱部１の側方上縁２５との間に生じる隙間を少なくすることができる。これによって、飛沫の拡散及び食品への粉塵の付着をより効果的に抑制することができる。
【００２７】
なお、留め構造６は上記の構造に限られるものではない。留め構造６は、仕切部５を箱部１に接着テープによって接着してもよく、また、面ファスナーによって係脱可能に係止してもよい。
【００２８】
更に、各仕切部５は、下部に使用者の親指を挿通可能な孔、切り欠き又は切り目５８である挿通部５７を有する。本実施の形態において、各仕切部５は、仕切部５の下縁５３の中央付近において、下縁５３から上方に向かって延びる一対の切り目５８と、切り目５８の上端を接続して延びる折り線５９とを含む。そして、初期状態においては、一対の切り目５８及び折り線５９によって囲まれる領域は閉鎖され、仕切部５の外側面から内側に向かって当該領域を指で押し込むことによって、使用者の親指を挿通可能な切り欠き孔を仕切部５に形成することができる。そして、例えば、この孔に使用者のカトラリーや箸を持たない方の手の親指を挿通し、残りの指で箱部１の底面を保持することによって、箱部１を容易に掴んで持ち上げることができ、食品の摂食を容易におこなうことができる。また、弁当箱１００を持ち上げて使用者の顔に近づけた上で摂食することを容易にすることができるため、蓋部３及び一対の仕切部５によって囲まれる空間に使用者が顔を近づけて摂食することも容易となる。よって、飛沫の拡散及び食品への粉塵の付着をより効果的に抑制することができる。
【００２９】
以上に説明したように、弁当箱１００は、前方上縁２３、後方上縁２４、及び左右一対の側方上縁２５を含む周縁２１によって区画される開口部１０を有し、食品を収容する有底の箱部１と、基端３１が後方上縁２４に取り付けられ、基端３１から先端３２に向かって延びる一対の側縁３３を有し、開口部１０を覆う閉鎖位置Ｐ１と箱部１の後方上縁２４から上方に延びる開放位置Ｐ２との間で揺動可能である蓋部３と、基端５１が蓋部３の一対の側縁３３にそれぞれ取り付けられ、蓋部３の裏面に沿って延びる収納位置Ｐ３と蓋部３から起こした展開位置Ｐ４との間でそれぞれ揺動可能である一対の仕切部５であって、蓋部３を開放位置Ｐ２に位置させ且つ仕切部５を展開位置Ｐ４に位置させた使用形態において、側方上縁２５に沿って延びる下縁５３をそれぞれ有する一対の仕切部５と、使用形態において、各仕切部５を箱部１に留める留め構造６とを有する。
【００３０】
この構成によれば、マスクを外した状態となる食品の摂食時において咳やくしゃみが出たときにこれらの飛沫の拡散を抑制することができる。よって、感染症の原因となるウイルス等の拡散を抑制することができる。また、環境に漂う粉塵の食品への付着を低減することができる。更に、持ち運び時は、仕切部５を収納して弁当箱１００をコンパクトにすることができる。
【００３１】
留め構造６は、各仕切部５の下縁５３を箱部１の側方上縁２５に留める構造であってもよい。
【００３２】
この構成によれば、仕切部５の下縁５３と箱部１の側方上縁２５との間に生じる隙間を少なくすることができる。これによって、飛沫の拡散及び食品への粉塵の付着をより効果的に抑制することができる。
【００３３】
仕切部５は、下縁５３から下方に突出する爪部５６を有し、箱部１は、側方上縁２５に形成され、爪部５６を挿入可能である挿入孔１７を有し、爪部５６及び挿入孔１７が留め構造６を成してもよい。
【００３４】
この構成によれば、仕切部５を容易に箱部１に留めることができる。
【００３５】
仕切部５の下縁５３の先端５３ａは、使用形態において、側方上縁２５の中央よりも前後方向における前方上縁２３側に位置してもよい。
【００３６】
この構成によれば、飛沫の拡散及び食品への粉塵の付着を効果的に抑制することができる。
【００３７】
仕切部５の下縁５３の先端５３ａは、使用形態において、前方上縁２３上に位置してもよい。
【００３８】
この構成によれば、飛沫の拡散及び食品への粉塵の付着をより効果的に抑制することができる。
【００３９】
仕切部５は、下部に使用者の親指を挿通可能な孔、切り欠き又は切り目５８である挿通部５７を有してもよい。
【００４０】
この構成によれば、箱部１を容易に掴んで持ち上げることができ、食品の摂食を容易におこなうことができる。
【００４１】
箱部１、蓋部３及び仕切部５は、紙製であってもよい。
【００４２】
この構成によれば、飛沫の拡散及び食品への粉塵の付着を抑制することができる効果を奏する弁当箱１００を簡易に構成することができる。
【００４３】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００４４】
Ｐ１  閉鎖位置
Ｐ２  開放位置
Ｐ３  収納位置
Ｐ４  展開位置
１  箱部
３  蓋部
５  仕切部
６  留め構造
１０  開口部
１１  周壁
１２  底壁
１３  前壁
１４  後壁
１５  側壁
２１  周縁
２３  前方上縁
２４  後方上縁
２５  側方上縁
３１  基端
３２  先端
３３  側縁
３５  蓋本体部
５１  基端
５２  先端
５３  下縁
５３ａ  先端
５４  上縁
５６  爪部
５７  挿通部
５８  切り目
５９  折り線
１００  弁当箱
【図１】
0003229021.tif 000003
【図２】
0003229021.tif 000004
【図３】
0003229021.tif 000005